(57)【要約】      （修正有）【課題】ナット本体の上部を半球状として体裁よく保つことができながら、締め付けが確実強固に行なえると共に、緩みも防止できる袋ナットを提供する。【解決手段】ねじ穴１０ａを有する多角形ナット本体１０の上部に半球状に膨出する中空の膨出部１１を備えた袋ナット１において、膨出部１１の中空部に、ねじ穴１０ａの内径とほぼ同径の貫通穴１２ａを有し、かつ、締結ボルトの螺入を許す緩み止め用樹脂部材１２が埋設されている構造とした。【選択図】図１
0003164173.tif 000002
【実用新案登録請求の範囲】
【請求項１】
ねじ穴を有する多角形ナット本体の上部に半球状に膨出する中空の膨出部を備えた袋ナットにおいて、膨出部の頂部に締結ナットの挿通を許す挿通孔が開口されている一方、膨出部の中空部に、ねじ穴の内径とほぼ同径の貫通孔を有し、かつ、締結ボルトの螺入を許す緩み止め用樹脂部材が埋設されていることを特徴とする袋ナット。
【請求項２】
ナット本体におけるねじ穴の外方端面には面取り用のテーパ状凹み部が設けられ、また、膨出部の挿通孔もその外方端の角をなくすようにテーパ状に面取りされていることを特徴とする請求項１記載の袋ナット。
【考案の詳細な説明】
【技術分野】
【０００１】  本考案は、ねじ穴を有する多角形ナット本体の上部に半球状に膨出する中空の膨出部を備えた袋ナットに関するものである。
【背景技術】
【０００２】  従来、この種の袋ナットとしては、ねじ穴を有する多角形ナット本体の上部に半球状に膨出する中空の膨出部を備えたものが知られている。
【考案の概要】
【考案が解決しようとする課題】
【０００３】  ところが、上記した袋ナットによれば、ナット本体の上部に半球状に膨出する中空の膨出部を設けることにより、ねじ穴の上部側を閉じて締結ボルトの先端側を覆うと同時にナット本体の上部側を半球状として体裁よくできる反面、ねじ穴がナット本体部分のみに形成されているだけであるため、締め付け力が弱く、また、緩みも生じ易いものであった。【０００４】  そこで、本考案は、ナット本体の上部側を半球状として体裁を良好に保つことができながら、締め付けが確実強固に行なえると共に、緩み防止効果も向上できる袋ナットの提供を課題とする。
【課題を解決するための手段】
【０００５】  本願の請求項１記載の考案は、ねじ穴を有する多角形ナット本体の上部に半球状に膨出する中空の膨出部を備えた袋ナットにおいて、膨出部の頂部に締結ナットの挿通を許す挿通孔が開口されている一方、膨出部の中空部に、ねじ穴の内径とほぼ同径の貫通穴を有し、かつ、締結ボルトの螺入を許す緩み止め用樹脂部材が埋設されていることを特徴とする。【０００６】  本願の請求項２記載の考案は、請求項１記載の構成に加えて、ナット本体におけるねじ穴の外方端面に面取り用のテーパ状凹み部が設けられ、また、膨出部の挿通孔もその外方端の角をなくすようにテーパ状に面取りされていることを特徴とする。
【考案の効果】
【０００７】  本考案の袋ナットによれば、頂部に締結ボルトの挿通穴を有する半球状の中空膨出部における中空部に、ねじ穴の内径とほぼ同径の貫通穴を有し、かつ、締結ボルトの螺入を許す緩み止め用樹脂部材が埋設されているから、締結ボルトによる締結時には、締結ボルトにおけるねじ部がナット本体のねじ穴に螺合されると共に、その先端部が膨出部の樹脂部材に圧入状態のもとで螺入されることになる。その結果、締結ボルトはナット本体のねじ穴と膨出部の樹脂部材との２箇所で締結されて、締結ボルトと袋ナットによる締め付けが確実強固に行なえる共に、緩み防止効果も向上させることができる。【０００８】  また、ナット本体におけるねじ穴の外方端面に面取り用のテーパ状凹み部を設けると共に、膨出部の挿通孔もその外方端の角をなくすようにテーパ状に面取りすれば、ねじ穴及び挿通孔を形成する際に発生するバリを削除しておくことができ、その結果、バリにより手が傷付いたり衣服等が引っかかったりするのを防止することができる。
【図面の簡単な説明】
【０００９】
【図１】本考案に係る袋ナットの縦面図である。
【図２】同袋ナットの正面図である。
【図３】同袋ナットの使用状態を示す縦面図である。
【考案を実施するための形態】
【００１０】  以下本考案に係る袋ナットを図に基づいて説明する。
【００１１】  図１及び図２は、本考案に係る袋ナットを示し、この袋ナット１は、ねじ穴１０ａを有する六角ナット本体１０の上部に半球状に膨出する中空の膨出部１１が一体に連設されていると共に、膨出部１１の頂部には後述する締結ナットの挿通を許す挿通孔１１ａが開口されている一方、膨出部１１の中空部に、ねじ穴１０ａの内径とほぼ同径の貫通穴１２ａを有し、かつ、後述する締結ボルト２の螺入を許す緩み止め用樹脂部材１２が埋設されたものである。
【００１２】  ナット本体１０におけるねじ穴１０ａの外方端面には面取り用のテーパ状凹み部１０ｂが設けられ、また、膨出部１１の挿通孔１１ａもその外方端の角をなくすようにもテーパ状に面取りされている。
【００１３】  また、図３は、袋ナット１の使用状態を示す縦断面図で、図において符号２は締結ボルトであって、締結ボルト２は、そのねじ軸２０の先端面２０ａが丸みをもち、かつ締結時に膨出部１１の挿通孔１１ａを閉鎖すると共にそのねじ軸２０の先端面２０ａと膨出部１１とで連続する球面状を形成するねじ軸寸法のものを用いている。３は取付孔３ａを有する固定側部材、４は挿通孔４ａを有し、固定側部材３に取り付けられる被取付部材である。
【００１４】  次に、以上のように構成した袋ナットの作用について説明する。
【００１５】  使用に際しては、図３に示すように固定側部材３の取付孔３ａと被取付部材４の挿通孔４ａとに締結ボルト２を挿通する一方、袋ナット１を締結ボルト２のねじ軸２０に螺合して締結する。このとき、膨出部１１における中空部に、ねじ穴１０ａの内径とほぼ同径の貫通穴１２ａを有し、かつ、締結ボルト２の螺入を許す緩み止め用樹脂部材１２が埋設されているから、締結ボルト２におけるねじ軸２０の中間部がナット本体１０のねじ穴１０ａに螺合されると共に、ねじ軸２０の先端部が膨出部１１の樹脂部材１２に圧入状態のもとで螺入されることになる。その結果、締結ボルト２はナット本体１０のねじ穴１０ａと膨出部１１の樹脂部材１２との２箇所で締結されて、締結ボルト２と袋ナット１とによる締め付けが確実強固に行なえる共に、緩み防止効果も向上させることができる。
【００１６】  また、ナット本体１０におけるねじ穴１０ａの外方端面に面取り用のテーパ状凹み部１０ｂが設けられていると共に、膨出部１１の挿通孔１１ａもその外方端の角をなくすようにテーパ状に面取りされているので、ねじ穴１０ａ及び挿通孔１１ａを形成する際に発生するバリを削除しておくことができ、その結果、バリにより手が傷付いたり衣服等が引っかかったりするのを防止することができる。
【００１７】  その上、締結ボルト２として、ねじ軸２ａ先端に丸みをもち、かつ締結時に膨出部１１の挿通孔１１ａを閉鎖すると共にそのねじ軸２０ａの先端面と膨出部１１の外面とで連続する球面状を形成するねじ軸寸法としたものを用いることにより、袋ナット１における膨出部１１を、その頂部に開口端があからさまに露出しない半球状として体裁を良好に保つことができる。
【００１８】  なお、図に示す実施の形態では、ナット本体１０を六角形としたものについて説明したけれども、四角や八角形など多角形であってもよいこと勿論である。
【符号の説明】
【００１９】１        袋ナット
１０      ナット本体
１０ａ    ねじ穴
１０ｂ    テーパ状凹み部
１１      膨出部
１１ａ    挿通孔
１２      緩み止め用樹脂部材
１２ａ    貫通孔
【図１】
0003164173.tif 000003
【図２】
0003164173.tif 000004
【図３】
0003164173.tif 000005